(57)【要約】【課題】  各音域に応じた押鍵タッチ感覚を得ながら安定した演奏ができる鍵盤装置を提供すること。【解決手段】  押鍵操作される複数の鍵１１と、複数の鍵１１の下方に配置され複数の鍵１１の前部がそれぞれ上下に揺動するように複数の鍵１１の後端部を支持する支持部１２ｃを備えた鍵フレーム１２と、複数の鍵１１にそれぞれ対応して鍵フレーム１２上に配置され、押鍵時に複数の鍵１１に押圧されることによりオン状態になる複数のスイッチ部材１３とで鍵盤装置１０を構成した。そして、スイッチ部材１３をプリント基板１５を介して鍵フレーム１２上に配置し、押鍵時に各鍵１１が回転してスイッチ部材１３を押圧しオン状態にするときの各鍵１１とプリント基板１５との対向面間の角度が、各鍵１１の回転角度の略半分以下になるようにプリント基板１５を複数の鍵１１に対して傾斜させた。【選択図】  図５
2010026346.tif 000002
【特許請求の範囲】
【請求項１】
押鍵操作される複数の鍵と、
前記複数の鍵の下方に配置され、前記複数の鍵の前部がそれぞれ上下に揺動するように前記複数の鍵の後端部をそれぞれ支持する支持部を備えた鍵フレームと、
前記複数の鍵にそれぞれ対応して前記鍵フレーム上に配置され、押鍵時に前記複数の鍵に押圧されることによりオン状態になる複数のスイッチ部材とを備えた鍵盤装置であって、
前記複数の鍵の各鍵に対応する前記支持部と前記スイッチ部材との間の距離を、低音域側の鍵から高音域側の鍵に向うにしたがって短くなるようにするとともに、押鍵時に前記各鍵が前記スイッチ部材を押圧してオン状態にするときの前記各鍵の回転角度の差を小さくする回転角度差減少手段を前記複数の鍵と前記鍵フレームとの間に設けたことを特徴とする鍵盤装置。
【請求項２】
前記スイッチ部材を基板を介して前記鍵フレーム上に配置し、前記回転角度差減少手段を、押鍵時に前記各鍵が回転して前記スイッチ部材を押圧しオン状態にするときの前記各鍵と前記基板との対向面間の角度が、前記各鍵の回転角度の略半分以下になるように前記基板を前記複数の鍵に対して傾斜させることとした請求項１に記載の鍵盤装置。
【請求項３】
前記スイッチ部材を基板を介して前記鍵フレーム上に配置するとともに、前記複数のスイッチ部材を前記複数の鍵の押圧によりそれぞれ弾性変形することによりオン状態になる部材で構成し、前記回転角度差減少手段を、押鍵時に前記各鍵が回転して前記スイッチ部材を押圧することにより弾性変形させてオン状態にするときのキーフルストローク位置に位置する前記各鍵が前記各スイッチ部材を弾性変形させる押し込み量がそれぞれ等しくなるように前記基板を前記複数の鍵に対して傾斜させることとした請求項１に記載の鍵盤装置。
【請求項４】
前記スイッチ部材を基板を介して前記鍵フレーム上に配置し、前記回転角度差減少手段を、押鍵時に前記各鍵が回転して前記スイッチ部材を押圧しオン状態にするときの前記各鍵における前記スイッチ部材を押圧する部分と前記基板との対向面間の角度が、前記各鍵の回転角度の略半分以下になるように、前記複数の鍵における前記スイッチ部材を押圧する部分を前記基板に対して傾斜させることとした請求項１に記載の鍵盤装置。
【請求項５】
前記スイッチ部材を基板を介して前記鍵フレーム上に配置するとともに、前記複数のスイッチ部材を前記複数の鍵の押圧によりそれぞれ弾性変形することによりオン状態になる部材で構成し、前記回転角度差減少手段を、押鍵時に前記各鍵が回転して前記スイッチ部材を押圧することにより弾性変形させてオン状態にするときのキーフルストローク位置に位置する前記各鍵が前記各スイッチ部材を弾性変形させる押し込み量がそれぞれ等しくなるように、前記複数の鍵における前記スイッチ部材を押圧する部分を前記基板に対して傾斜させることとした請求項１に記載の鍵盤装置。
【発明の詳細な説明】
【技術分野】
【０００１】
本発明は、アコースティックピアノと同様の押鍵タッチ感覚を得ることのできる電子オルガン、電子ピアノ等の電子鍵盤楽器が備える鍵盤装置に関する。
【背景技術】
【０００２】
アコースティックピアノにおいては、押鍵した場合に、低音域では重く高音域になると軽くなる押鍵タッチ感覚がある。この押鍵タッチ感覚を電子鍵盤楽器の鍵盤装置においても模擬するために、従来から種々の工夫がなされている。例えば、下記特許文献１には、押鍵操作によってスイッチングされるゴムスイッチの設置位置を各鍵ごとに前後方向に変えることにより押鍵時の押鍵タッチ感覚を変更する鍵盤装置が示されている。この鍵盤装置によると、鍵を支持する支点とゴムスイッチとの距離が短いとテコ比が大きくなって押鍵位置である鍵の前端側でのゴムスイッチを押圧する荷重は軽くなる。また、鍵を支持する支点とゴムスイッチとの距離が長いとテコ比が小さくなって鍵の前端側でのゴムスイッチを押圧する荷重は重くなる。
【特許文献１】特許第３０７４７９７号公報
【発明の開示】
【０００３】
しかしながら、前述した従来の鍵盤装置は、押鍵操作による鍵の回転に合わせてゴムスイッチの上部が鍵に押され、ゴムスイッチの内部の接点が基板のパターンに接触することで導通し発音する構成になっている。この場合、ゴムスイッチの設置位置が鍵の音域によって異なると、鍵の回転角が同じであっても、低音域では音がでるのに対し高音域では音がでないといったことが生じ、鍵の音域によって音がでるタイミングが変わってしまうという問題がある。言い換えると、ゴムスイッチの接点が基板に接触するときの鍵の角度が音域によって変わるためゴムスイッチの動作が一定にならず安定した演奏ができなくなるという問題が生じる。
【０００４】
本発明は、このような問題に対処するためになされたもので、その目的は、各音域に応じた押鍵タッチ感覚を得ながら安定した演奏ができる鍵盤装置を提供することである。
【０００５】
前述した目的を達成するため、本発明に係る鍵盤装置の構成上の特徴は、押鍵操作される複数の鍵と、複数の鍵の下方に配置され、複数の鍵の前部がそれぞれ上下に揺動するように複数の鍵の後端部をそれぞれ支持する支持部を備えた鍵フレームと、複数の鍵にそれぞれ対応して鍵フレーム上に配置され、押鍵時に複数の鍵に押圧されることによりオン状態になる複数のスイッチ部材とを備えた鍵盤装置であって、複数の鍵の各鍵に対応する支持部とスイッチ部材との間の距離を、低音域側の鍵から高音域側の鍵に向うにしたがって短くなるようにするとともに、押鍵時に各鍵がスイッチ部材を押圧してオン状態にするときの各鍵の回転角度の差を小さくする回転角度差減少手段を複数の鍵と鍵フレームとの間に設けたことにある。
【０００６】
前述した本発明に係る鍵盤装置では、複数の鍵の各鍵に対応する支持部とスイッチ部材との間の距離を、低音域側の鍵から高音域側の鍵に向うにしたがって短くすることによって、押鍵した場合に、低音域では重く高音域になると軽くなる押鍵タッチ感覚を得ることができる。そして、押鍵時に各鍵がスイッチ部材を押圧してオン状態にするときの各鍵間の回転角度の差を小さくする回転角度差減少手段を複数の鍵と鍵フレームとの間に設けることによって、各鍵の回転角が同じであれば、音域にかかわらず音がでるタイミングが同じかそれに近い状態になり、安定した演奏ができる。
【０００７】
本発明に係る鍵盤装置の他の構成上の特徴は、スイッチ部材を基板を介して鍵フレーム上に配置し、回転角度差減少手段を、押鍵時に各鍵が回転してスイッチ部材を押圧しオン状態にするときの各鍵と基板との対向面間の角度が、各鍵の回転角度の略半分以下になるように基板を複数の鍵に対して傾斜させることとしたことにある。
【０００８】
従来の鍵盤装置においては、鍵フレーム上の基板の設置位置は、離鍵時に、複数の鍵と基板との対向面が略平行した状態になるように設定されている。そして、押鍵操作をすることにより、鍵の前部側が下方に移動して鍵の下部側部分が基板上に設置されたスイッチ部材を押圧する構成になっている。このため、複数の鍵に対する基板の傾斜角を調整することにより、各鍵の押鍵時の発音タイミングを同時または同時に近いタイミングにすることができる。この場合、押鍵時に各鍵が回転してスイッチ部材を押圧しオン状態にするときの鍵の角度と基板の角度との差をゼロ、すなわちスイッチ部材をオン状態にしたときの各鍵と基板との対向面が平行になるようにすることにより、各鍵の押鍵時の発音タイミングを同時にすることができる。
【０００９】
また、押鍵時に各鍵が回転してスイッチ部材を押圧しオン状態にするときの鍵の角度と基板の角度との差を所定の小さな角度以下、すなわちスイッチ部材をオン状態にしたときの鍵と基板との対向面間の角度が所定の小さな角度になるようにすることにより、各鍵の押鍵時の発音タイミングを同時に近いタイミングにすることができる。この場合、所定の小さな角度を、押鍵時に各鍵が回転してスイッチ部材を押圧しオン状態にするときの各鍵の回転角度の略半分以下にすることにより、より好ましい鍵盤装置を得ることができる。なお、各鍵の回転角度の半分は、鍵盤の中央に位置する鍵の回転角度を基準とすることが好ましいが、最も高音側に位置する、すなわち最も回転角度が大きくなる鍵の回転角を基準にしてもよい。
【００１０】
本発明に係る鍵盤装置のさらに他の構成上の特徴は、スイッチ部材を基板を介して鍵フレーム上に配置するとともに、複数のスイッチ部材を複数の鍵の押圧によりそれぞれ弾性変形することによりオン状態になる部材で構成し、回転角度差減少手段を、押鍵時に各鍵が回転してスイッチ部材を押圧することにより弾性変形させてオン状態にするときのキーフルストローク位置に位置する各鍵が各スイッチ部材を弾性変形させる押し込み量がそれぞれ等しくなるように基板を複数の鍵に対して傾斜させることとしたことにある。
【００１１】
この鍵盤装置では、押鍵時に各鍵が回転してスイッチ部材を所定の押し込み量分押圧して弾性変形させることによりスイッチ部材はオン状態になり、さらに各鍵が回転してキーフルストローク位置に達するまでスイッチ部材は押圧されて弾性変形する。このため、押鍵操作により、キーフルストローク位置に位置するまで各鍵を回転させたときの各スイッチ部材の最大押し込み量が一定になり、各スイッチ部材の耐久寿命も略同じになる。この結果、特定の音域に設置されたスイッチ部材だけが他のスイッチ部材よりも消耗し易くなるといったことを防止できる。
【００１２】
本発明に係る鍵盤装置のさらに他の構成上の特徴は、スイッチ部材を基板を介して鍵フレーム上に配置し、回転角度差減少手段を、押鍵時に各鍵が回転してスイッチ部材を押圧しオン状態にするときの各鍵におけるスイッチ部材を押圧する部分と基板との対向面間の角度が、各鍵の回転角度の略半分以下になるように、複数の鍵におけるスイッチ部材を押圧する部分を基板に対して傾斜させることとしたことにある。
【００１３】
この場合の基板に対して傾斜する鍵におけるスイッチ部材を押圧する部分としては、鍵の下部に傾斜部を設けることによって構成したり、スイッチ部材を押圧するためのスイッチ駆動部を鍵の下部に傾斜させた状態で設けることによって構成したりすることができる。これによると、押鍵時に各鍵が回転してスイッチ部材を押圧しオン状態にするときの各鍵におけるスイッチ部材を押圧する部分の角度と基板の角度との差をゼロ、すなわちスイッチ部材をオン状態にしたときの鍵におけるスイッチ部材を押圧する部分と基板との対向面が平行になるようにすることにより、各鍵の押鍵時の発音タイミングを同時にすることができる。
【００１４】
また、押鍵時に各鍵が回転してスイッチ部材を押圧しオン状態にするときの各鍵におけるスイッチ部材を押圧する部分の角度と基板の角度との差を所定の小さな角度以下、すなわちスイッチ部材をオン状態にしたときの鍵におけるスイッチ部材を押圧する部分と基板との対向面間の角度が所定の小さな角度になるようにすることにより、各鍵の押鍵時の発音タイミングを同時に近いタイミングにすることができる。この場合、所定の小さな角度を、押鍵時に各鍵が回転してスイッチ部材を押圧しオン状態にするときの各鍵の回転角度の略半分以下にすることにより、より好ましい鍵盤装置を得ることができる。なお、この場合も、各鍵の回転角度の半分は、鍵盤の中央に位置する鍵の回転角を基準とすることが好ましいが、最も高音側に位置する鍵の回転角を基準にすることもできる。
【００１５】
本発明に係る鍵盤装置のさらに他の構成上の特徴は、スイッチ部材を基板を介して鍵フレーム上に配置するとともに、複数のスイッチ部材を複数の鍵の押圧によりそれぞれ弾性変形することによりオン状態になる部材で構成し、回転角度差減少手段を、押鍵時に各鍵が回転してスイッチ部材を押圧することにより弾性変形させてオン状態にするときのキーフルストローク位置に位置する各鍵が各スイッチ部材を弾性変形させる押し込み量がそれぞれ等しくなるように、複数の鍵におけるスイッチ部材を押圧する部分を基板に対して傾斜させることとしたことにある。
【００１６】
この場合も、押鍵時に各鍵が回転してスイッチ部材を所定の押し込み量分押圧して弾性変形させることによりスイッチ部材はオン状態になり、さらに各鍵が回転してキーフルストローク位置に達するまでスイッチ部材は押圧されて弾性変形する。このため、キーフルストローク位置に位置するまで各鍵を回転させたときの各スイッチ部材の最大押し込み量が一定になり、各スイッチ部材の耐久寿命も略同じになる。この結果、特定の音域に設置されたスイッチ部材だけが他のスイッチ部材よりも消耗し易くなるといったことを防止できる。
【発明を実施するための最良の形態】
【００１７】
（第１実施形態）
以下、本発明の第１実施形態を図面を用いて説明する。図１は、同実施形態に係る鍵盤装置１０（図２参照）を備えた電子鍵盤楽器Ａを示している。この電子鍵盤楽器Ａは、上面における前部側に左右方向に配列された複数の鍵（白鍵と黒鍵）１１からなる鍵盤を形成し、上面における後部側に電子鍵盤楽器Ａの動作態様を選択するための複数のパネルスイッチＰＳＷを設けて構成されている。複数の鍵１１は、図２に示したように、合成樹脂で一体成形した鍵フレーム１２に組み付けられている。
【００１８】
鍵フレーム１２は、後部よりも前部がやや下方に位置するように傾斜した状態に配置された平面状の上面部１２ａと、上面部１２ａの前縁部と後縁部とからそれぞれ下方に向かって前後に広がるように僅かに傾斜して延びる縦壁部１２ｂとを備えている。そして、上面部１２ａの上面後端部には、各鍵１１を支持するための支持部１２ｃが左右に一定間隔を保って配置されている。この支持部１２ｃは、側面視が下部側から上部側に行くほど幅が狭くなり上部が半円状に形成された左右方向に厚みを有する板体で構成されている。そして、支持部１２ｃの上部には、左右に貫通する支持穴が形成されている。
【００１９】
鍵１１は、下方を開放させて、長手方向に直交する断面がコ字状になるように合成樹脂で一体成形されている。また、鍵１１の後端部には、左右に延びる支軸１１ａが設けられている。そして、鍵１１は、この支軸１１ａを支持部１２ｃの支持穴に通し、支軸１１ａを中心として前端部を上下に揺動可能にして鍵フレーム１２に支持されている。また、上面部１２ａの上面における前後方向の略中央部に、複数のスイッチ部材１３，１４が組み付けられたプリント基板１５（図４参照）が鍵盤の左右方向に延設されている。このスイッチ部材１３，１４は、図３に示したように、前後方向に並んで配置されており、この二個一組のスイッチ部材１３，１４が各鍵１１に対応するように左右に複数組み配置されている。
【００２０】
また、各一組のスイッチ部材１３，１４のうちの低音域の鍵１１に対応して配置されるスイッチ部材１３，１４が、高音域の鍵１１に対応して配置されるスイッチ部材１３，１４よりも前部側に位置するように、各一組のスイッチ部材１３，１４は徐々に設置場所を変えて配置されている。また、スイッチ部材１３，１４は、ゴム、シリコンなどの弾性部材によって一体成形されており、図４に示したように、それぞれ板状のプレート１３ａ，１４ａと、プレート１３ａ，１４ａの上面に形成されたスイッチ１３ｂ，１４ｂとで構成されている。
【００２１】
スイッチ１３ｂ，１４ｂは、ともに同一の形状および厚みを有し、内部に空洞を有する半球状に形成され中央部に円柱状部分１３ｃ，１４ｃを上下に突出させた構造になっている。円柱状部分１３ｃ，１４ｃの下面には電気接点がそれぞれ設けられており、プリント基板１５の上面における円柱状部分１３ｃ，１４ｃの電気接点に対向する部分にも、それぞれ一対の電気接点が設けられている。また、スイッチ１３ｂの円柱状部分１３ｃは、スイッチ１４ｂの円柱状部分１４ｃよりもそれぞれ下方に長く形成されている。そして、鍵１１の下面における各スイッチ部材１３，１４に対向する部分に、下方に突出したスイッチ駆動部１６が形成されている。
【００２２】
このため、鍵１１の押鍵時には、スイッチ駆動部１６の下方への移動に伴って、二組の電気接点が順にオン状態になり、鍵１１の離鍵時には、二組の電気接点がオン状態になるときと逆の順序でオフ状態になる。この場合、スイッチ１３ｂとスイッチ１４ｂとの接触の時間差により、押鍵時における鍵タッチ強さ（押鍵速度）が検出される。なお、鍵タッチ強さを検出する必要がない場合には、スイッチ部材１３，１４の一方を省略することができる。また、図５には、この鍵盤装置１０における低音域に位置する鍵１１を押鍵操作したときと、高音域に位置する鍵１１を押鍵したときのスイッチ部材１３とスイッチ駆動部１６との接触状態を示している。なお、以下の説明においては、説明の便宜上、スイッチ部材１４は省略する。
【００２３】
この鍵盤装置１０では、水平状態の鍵１１を押鍵して鍵１１を回転させ鍵１１がスイッチ部材１３のスイッチ１３ｂをオン状態にしたときの回転角θの半分の角度分プリント基板１５が、後部側よりも前部側が下方に位置するように傾斜して配置されている。このため、図５に示したように、低音域に位置する鍵１１を押鍵操作してスイッチ部材１３（図５の左側のスイッチ部材１３）のスイッチ１３ｂをオン状態にしたときの鍵１１の傾斜角度と、高音域に位置する鍵１１を押鍵操作してスイッチ部材１３（図５の右側のスイッチ部材１３）のスイッチ１３ｂをオン状態にしたときの鍵１１の傾斜角度とが近いものになる。なお、図５は、鍵盤装置１０の概略を模式的に示したもので図２および図４とは対応する部分の形状が多少異なっている。
【００２４】
また、図示していないが、電子鍵盤楽器Ａには楽音信号発生回路が備わっており、複数のスイッチ１３ｂからの信号は、この楽音信号発生回路に供給される。楽音信号発生回路は、スイッチ１３ｂとプリント基板１５との間に設けられた二組の電気接点のオンオフ状態や各電気接点の状態が変化する間の時間に応じた楽音信号を発生する。すなわち、楽音信号発生回路は、鍵１１の押離鍵によりオンオフする電気接点の状態や、押鍵速度を検出する。そして、検出された電気接点の状態や、押鍵速度は、楽音信号の発生、終了および発生される楽音信号の音量および音色の制御に利用される。また、各鍵１１と鍵フレーム１２との間には押鍵されたのちの鍵１１を弾性力や重りの荷重を利用して元の位置に復帰させる機構が備わっている。
【００２５】
このように構成された電子鍵盤楽器Ａの鍵１１を押鍵操作すると、鍵１１は後端部の支軸１１ａを支点として、図２の状態で反時計周りに回転する。そして、鍵１１の回転に伴い、スイッチ駆動部１６がスイッチ１３ｂを押圧し、スイッチ１３ｂの電気接点をオンにする。そして、鍵１１を離鍵すると、鍵１１は支軸１１ａを支点として、図２の状態で時計周りに回転して原点位置に復帰する。そして、このような鍵１１の押離鍵操作に応じて、楽音信号発生回路は楽音信号を発生する。また、楽音信号発生回路は、検出した押鍵速度に応じて、発生される楽音信号の音量および音色を制御する。この場合、鍵盤装置１０では、各鍵１１に対応する支持部１２ｃとスイッチ部材１３との間の距離を、低音域側から高音域側に向うにしたがって短くしているため、各鍵１１を押鍵したときに、低音域では重く高音域になると軽くなる押鍵タッチ感覚を得ることができる。
【００２６】
また、鍵盤装置１０では、押鍵時に各鍵１１が回転してスイッチ１３ｂを押圧しオン状態にするときの各鍵１１とプリント基板１５との対向面間の角度が、各鍵１１の回転角度θの略半分になるように鍵フレーム１２およびプリント基板１５を複数の鍵１１に対して傾斜させている。このため、押鍵時に各鍵１１がスイッチ１３ｂを押圧してオン状態にするときの各鍵１１の回転角度が同じであれば、音域にかかわらず音がでるタイミングが同じかまたはそれに近い状態になり、安定した演奏ができるようになる。また、各鍵１１を押鍵する強さが同じであれば同じ音量の音が発音されるか同じ音量に近い音量の音が発音される。
【００２７】
（変形例）
図６は、前述した第１実施形態の変形例にかかる鍵盤装置１０ａを示している。この鍵盤装置１０ａにおいても、複数のスイッチ部材１７のうちの低音域側の鍵１１ｂに対応して配置されるスイッチ部材１７が高音域側の鍵１１ｂに対応して配置されるスイッチ部材１７よりも前部側に位置するように設置場所を変えて配置されているが、この設置場所は徐々に変更されているのではなく１オクターブ毎に段階的に変更されている。この鍵盤装置１０ａのそれ以外の部分の構成については、前述した鍵盤装置１０と同一である。この鍵盤装置１０ａによると、１オクターブの範囲では、各鍵１１ｂの押鍵による発音のタイミングが多少ずれたり、音量が多少異なったりするが、その差は僅かなものであり、鍵盤装置１０ａ全体としては、前述した鍵盤装置１０と同様の作用効果を奏することができる。
【００２８】
（第２実施形態）
図７は、本発明の第２実施形態に係る鍵盤装置２０の概略を示している。この鍵盤装置２０では、水平状態の鍵２１を押鍵して鍵２１を回転させ鍵２１がスイッチ部材２３のスイッチ２３ｂをオン状態にしたときの回転角θと同じ角度θ分プリント基板２５が、後部側よりも前部側が下方に位置するように傾斜して配置されている。この鍵盤装置２０および鍵盤装置２０を備えた電子鍵盤楽器のそれ以外の部分の構成は、前述した鍵盤装置１０および電子鍵盤楽器Ａと同一である。したがって、同一部分に同一符号を記して説明は省略する。
【００２９】
これによると、図７に示したように、低音域に位置する鍵２１を押鍵操作してスイッチ部材２３（図７の左側のスイッチ部材２３）のスイッチ２３ｂをオン状態にしたときの鍵２１の傾斜角度と、高音域に位置する鍵２１を押鍵操作してスイッチ部材２３（図７の右側のスイッチ部材２３）のスイッチ２３ｂをオン状態にしたときの鍵２１の傾斜角度とが同じ角度になる。このため、押鍵時に各鍵２１がスイッチ２３ｂを押圧してオン状態にするときの各鍵２１の回転角度が同じであれば、音域にかかわらずすべての鍵２１の押鍵操作により音がでるタイミングが同じになる。この鍵盤装置２０のそれ以外の作用効果については前述した鍵盤装置１０の作用効果と同様である。また、この場合も、スイッチ部材２３の配置を、図６に示した配置にすることができる。
【００３０】
（第３実施形態）
図８は、本発明の第３実施形態に係る鍵盤装置３０の概略を示している。この鍵盤装置３０では、水平状態の鍵３１を押鍵してキーフルストローク位置に鍵３１が位置したときの回転角θ1と同じ角度θ1分プリント基板３５が、後部側よりも前部側が下方に位置するように傾斜して配置されている。この鍵盤装置３０および鍵盤装置３０を備えた電子鍵盤楽器のそれ以外の部分の構成は、前述した鍵盤装置１０および電子鍵盤楽器Ａと同一である。したがって、同一部分に同一符号を記して説明は省略する。
【００３１】
この鍵盤装置３０によると、図８に示したように、低音域に位置する鍵３１を押鍵操作してスイッチ部材１３（図８の左側のスイッチ部材１３）のスイッチ１３ｂをオン状態にしたのちに、さらに鍵３１を回転させてキーフルストローク位置に位置させたときの鍵３１の傾斜角度と、高音域に位置する鍵３１を押鍵操作してスイッチ部材１３（図８の右側のスイッチ部材１３）のスイッチ１３ｂをオン状態にしたのちに、さらに鍵３１を回転させてキーフルストローク位置に位置させたときの鍵３１の傾斜角度とが同じ角度になる。
【００３２】
これによると、キーフルストローク位置に位置するまで各鍵３１を回転させたときの各スイッチ１３ｂの最大押し込み量（スイッチ駆動部１６に押圧されてスイッチ１３ｂが上下方向に収縮する長さ）が一定になるため、各スイッチ部材１３の耐久寿命も略同じになる。このため、特定の音域に設置されたスイッチ部材１３だけが他のスイッチ部材１３よりも消耗し易くなるといったことを防止できる。この鍵盤装置３０のそれ以外の作用効果については前述した鍵盤装置１０の作用効果と同様である。また、この場合も、スイッチ部材１３の配置を、図６に示した配置にすることができる。
【００３３】
（第４実施形態）
図９は、本発明の第４実施形態に係る鍵盤装置４０の概略を示している。この鍵盤装置４０では、側面視が略長方形に形成された鍵４１の本体４１ａの下面部に、図１０に示したように、傾斜面からなる駆動部設置面４１ｂが形成されている。この駆動部設置面４１ｂは、鍵４１の本体４１ａの上面を水平にさせたときに後部側よりも前部側が上方に位置するように形成されており、前端部は本体４１ａの内部側（上方）に凹んだ段状の凹部に形成され、後端部は本体４１ａの外部側（下方）に突出した段状の突部に形成されている。そして、各本体４１ａの駆動部設置面４１ｂに、スイッチ駆動部４６が取り付けられている。
【００３４】
このスイッチ駆動部４６は、低音域の鍵４１の本体４１ａに取り付けられるものが、高音域の鍵４１の本体４１ａに取り付けられるものよりも前部側に位置するように徐々に設置位置を変更して取り付けられている。すなわち、このスイッチ駆動部４６の配置は、図３に示したスイッチ部材１３の配置と同じになっている。また、プリント基板４５は水平に配置されており、離鍵時には、鍵４１の上面とプリント基板４５の上面とは平行している。そして、プリント基板４５の上面には、複数のスイッチ部材４３が、各スイッチ駆動部４６に対向して設置されている。
【００３５】
また、駆動部設置面４１ｂは、図９に示したように、押鍵時に、水平状態の各鍵４１が回転してスイッチ部材４３のスイッチ４３ｂを押圧しオン状態にするときの各鍵４１の駆動部設置面４１ｂとプリント基板４５との対向面間の角度が、各鍵４１の回転角度θ2の略半分の１／２・θ2になるように前部が後部よりも上方に位置するように形成されている。この鍵盤装置４０および鍵盤装置４０を備えた電子鍵盤楽器のそれ以外の部分の構成は、前述した鍵盤装置１０および電子鍵盤楽器Ａと同一である。したがって、同一部分に同一符号を記して説明は省略する。
【００３６】
この鍵盤装置４０によると、押鍵時に各鍵４１がスイッチ４３ｂを押圧してオン状態にするときの各鍵４１の回転角度が同じであれば、音域にかかわらず音がでるタイミングが同じかまたはそれに近い状態になり、安定した演奏ができるようになる。この鍵盤装置４０のそれ以外の作用効果については前述した鍵盤装置１０の作用効果と同様である。また、この場合も、スイッチ部材４３の配置を、図６に示した配置にすることができる。
【００３７】
（第５実施形態）
図１１は、本発明の第５実施形態に係る鍵盤装置５０の概略を示している。この鍵盤装置５０では、押鍵時に、水平状態の各鍵５１が回転してスイッチ部材５３を押圧しオン状態にするときの各鍵５１の駆動部設置面５１ｂとプリント基板５５との対向面どうしが平行するように駆動部設置面５１ｂが形成されている。この鍵盤装置５０および鍵盤装置５０を備えた電子鍵盤楽器のそれ以外の部分の構成は、前述した鍵盤装置４０および鍵盤装置４０を備えた電子鍵盤楽器と同一である。このため、同一部分に同一符号を記して説明は省略する。
【００３８】
この鍵盤装置５０によると、図１１に示したように、低音域に位置する鍵５１を押鍵操作してスイッチ部材５３（図１１の左側のスイッチ部材５３）のスイッチ４３ｂをオン状態にしたときの鍵５１の駆動部設置面５１ｂと、高音域に位置する鍵５１を押鍵操作してスイッチ部材５３（図１１の右側のスイッチ部材５３）のスイッチ４３ｂをオン状態にしたときの鍵５１の駆動部設置面５１ｂとはともに水平になってプリント基板５５と平行するようになる。このため、押鍵時に各鍵５１がスイッチ４３ｂを押圧してオン状態にするときの各鍵５１の回転角度が同じであれば、音域にかかわらず音がでるタイミングが同じになる。この鍵盤装置５０のそれ以外の作用効果については前述した鍵盤装置４０の作用効果と同様である。また、この場合も、スイッチ部材５３の配置を、図６に示した配置にすることができる。
【００３９】
（第６実施形態）
図１２は、本発明の第６実施形態に係る鍵盤装置６０の概略を示している。この鍵盤装置６０では、水平状態の鍵６１を押鍵してキーフルストローク位置に鍵６１が位置したときの鍵６１の駆動部設置面６１ｂとプリント基板６５との対向面どうしが平行するように駆動部設置面６１ｂが形成されている。この鍵盤装置６０および鍵盤装置６０を備えた電子鍵盤楽器のそれ以外の部分の構成は、前述した鍵盤装置４０および鍵盤装置４０を備えた電子鍵盤楽器と同一である。このため、同一部分に同一符号を記して説明は省略する。
【００４０】
この鍵盤装置６０によると、図１２に示したように、低音域に位置する鍵６１を押鍵操作してスイッチ部材４３（図１２の左側のスイッチ部材４３）のスイッチ４３ｂをオン状態にしたのちに、さらに鍵６１を回転させてキーフルストローク位置に位置させたときの鍵６１の傾斜角度と、高音域に位置する鍵６１を押鍵操作してスイッチ部材４３（図１２の右側のスイッチ部材４３）のスイッチ４３ｂをオン状態にしたのちに、さらに鍵６１を回転させてキーフルストローク位置に位置させたときの鍵６１の傾斜角度とが同じ角度になる。
【００４１】
このため、キーフルストローク位置に位置するまで各鍵６１を回転させたときの各スイッチ４３ｂの最大押し込み量が一定になり、各スイッチ部材４３の耐久寿命も略同じになる。この結果、特定の音域に設置されたスイッチ部材４３だけが他のスイッチ部材４３よりも消耗し易くなるといったことを防止できる。この鍵盤装置６０のそれ以外の作用効果については前述した４０の作用効果と同様である。また、この場合も、スイッチ部材４３の配置を、図６に示した配置にすることができる。
【００４２】
また、本発明に係る鍵盤装置は、前述した各実施形態に限定するものでなく、適宜変更して実施することができる。例えば、前述した各実施形態では、鍵１１等とプリント基板１５等との間の角度、または、鍵４１の駆動部設置面４１ｂ等とプリント基板４５等との間の角度を調整することによって、押鍵時に各鍵１１等がスイッチ部材１３等を押圧してオン状態にするときの各鍵１１等の回転角度の差を小さくしているが、これを、鍵１１等や鍵４１の駆動部設置面４１ｂ等とプリント基板１５等との間の角度を調整することによって行ってもよい。
【００４３】
また、スイッチ駆動部１６等を傾斜させて設置することにより、押鍵時に各鍵１１等がスイッチ部材１３等を押圧してオン状態にするときの各鍵１１等の回転角度の差を小さくしてもよい。さらに、プリント基板１５等や駆動部設置面４１ｂ等の傾斜は、前部側が低く後部側が高くなるように形成してもよいし、前部側が高く後部側が低くなるように形成してもよい。本発明に係る鍵盤装置のそれ以外の部分の構成についても、本発明の技術的範囲内で適宜変更することができる。
【図面の簡単な説明】
【００４４】
【図１】本発明の第１実施形態に係る鍵盤装置を備えた電子鍵盤楽器を示す平面図である。
【図２】鍵盤装置を示した縦断面図である。
【図３】スイッチ部材の配置を示した鍵盤の平面図である。
【図４】スイッチ部材の構造およびスイッチ部材とスイッチ駆動部との位置関係を示した縦断面図である。
【図５】第１実施形態の鍵盤装置における押鍵時の鍵と鍵フレームとの位置関係を示した説明図である。
【図６】変形例に係る鍵盤装置におけるスイッチ部材の配置を示した鍵盤の平面図である。
【図７】第２実施形態に係る鍵盤装置における押鍵時の鍵と鍵フレームとの位置関係を示した説明図である。
【図８】第３実施形態に係る鍵盤装置における押鍵時の鍵と鍵フレームとの位置関係を示した説明図である。
【図９】第４実施形態に係る鍵盤装置における押鍵時の鍵と鍵フレームとの位置関係を示した説明図である。
【図１０】第４実施形態に係る鍵盤装置が備える鍵の本体を示した側面図である。
【図１１】第５実施形態に係る鍵盤装置における押鍵時の鍵と鍵フレームとの位置関係を示した説明図である。
【図１２】第６実施形態に係る鍵盤装置における押鍵時の鍵と鍵フレームとの位置関係を示した説明図である。
【符号の説明】
【００４５】
１０，１０ａ，２０，３０，４０，５０，６０…鍵盤装置、１１，１１ｂ，２１，３１，４１，５１，６１…鍵、１２…鍵フレーム、１２ａ…上面部、１２ｃ…支持部、１３，１４，１７，２３，４３，５３…スイッチ部材、１５，２５，３５，４５，５５，６５…プリント基板、１６，４６…スイッチ駆動部、４１ｂ，５１ｂ，６１ｂ…駆動部設置面。
【図１】
2010026346.tif 000003
【図２】
2010026346.tif 000004
【図３】
2010026346.tif 000005
【図４】
2010026346.tif 000006
【図５】
2010026346.tif 000007
【図６】
2010026346.tif 000008
【図７】
2010026346.tif 000009
【図８】
2010026346.tif 000010
【図９】
2010026346.tif 000011
【図１０】
2010026346.tif 000012
【図１１】
2010026346.tif 000013
【図１２】
2010026346.tif 000014